(57)【要約】【課題】  叩き動作を行う際に、ロッド(６) の球状頭部(61)がレバー(31)から抜け出すことなく、さらにロッド(６)を偏心回転部材(43)へガタつきなく円滑に支持できるようにしたマッサージ機を提供する。【解決手段】  もみ用回転軸(５)上に軸心と直交する面に対して対称的に傾いて回動可能に支持された一対のレバー(31)(31)と、叩き用回転軸(４)の軸心に対して互いに反対方向に偏心した偏心軸部(41)(41)に回転自由に支持された偏心回転部材(43)(43)とを、ロッド(６)(６)にて枢支連結し、ロッドのレバー側先端の球状頭部(61)を、ロッドがレバーを反偏心軸部(41)側へ押す際に叩き動作を行う様にレバーに枢支する。また、偏心回転部材のブラケット部(44)の溝(45)に、ロッドの基端を嵌めて回動可能にピン止めし、ブラケットに螺合したビス(88)の座面にピン(46)の頭部を当ててピンの抜止めをする。【選択図】    図７
2005000687.tif 000002
【特許請求の範囲】
【請求項１】
もみ用回転軸(５)上に軸心と直交する面に対して対称的に傾いて回動可能に支持された一対のレバー(31)(31)の夫々の自由端に、上部及び下部にもみ玉(33)を具えたアーム(32)の略中央を一定の範囲で回動可能に連結し、もみ用回転軸(５)と平行な回転軸(４)の軸心に対して互いに反対方向に偏心した偏心軸部(41)(41)に回転自由に支持された偏心回転部材(43)(43)と前記レバー(31)(31)とがロッド(６)(６)にて枢支連結され、偏心軸部(41)(41)の偏心回転により、ロッド(６)(６)を介して連結されたレバー(31)(31)の先端を上下運動させて叩き動作を行う４つ玉式マッサージ機において、ロッド(６)のレバー(31)側先端の球状頭部(61)は、ロッド(６)がレバー(31)を反偏心軸部(41)側へ押す際に叩き動作を行う様にレバー(31)に枢支されていることを特徴とするマッサージ機。
【請求項２】
前記偏心回転部材(43)に突設したブラケット部(44)の溝(45)に、前記ロッド(６)の基端が嵌まって偏心軸部(41)の軸心を含む面内で回動可能にピン(46)止めされ、且つブラケットに螺合したビス(88)の座面にピン(46)の頭部が当たってピン(46)の抜止めがなされている請求項１に記載のマッサージ機。
【請求項３】
もみ用回転軸(５)上に軸心と直交する面に対して対称的に傾いて回動可能に支持された一対のレバー(31)(31)の夫々の自由端に、上部及び下部にもみ玉(33)を具えたアーム(32)の略中央を一定の範囲で回動可能に連結し、もみ用回転軸(５)と平行な回転軸(４)の軸心に対して互いに反対方向に偏心した偏心軸部(41)(41)に回転自由に支持された偏心回転部材(43)(43)と前記レバー(31)(31)とがロッド(６)(６)にて枢支連結され、偏心軸部(41)(41)の偏心回転により、ロッド(６)(６)を介して連結されたレバー(31)(31)の先端を上下運動させて叩き動作を行う４つ玉式マッサージ機において、前記偏心回転部材(43)に突設したブラケット部(44)の溝(45)に、前記ロッド(６)の基端が嵌まって偏心軸部(41)の軸心を含む面内で回動可能にピン(46)止めされ、且つブラケットに螺合したビス(88)の座面にピン(46)の頭部が当たってピン(46)の抜止めがなされるようにしたことを特徴とするマッサージ機。
【請求項４】
もみ用回転軸(５)上に軸心と直交する面に対して対称的に傾いて回動可能に支持された、もみ玉(33)を具えた一対のレバー(31)(31)と、もみ用回転軸(５)と平行な回転軸(４)の軸心に対して互いに反対方向に偏心した偏心軸部(41)(41)に回転自由に支持された偏心回転部材(43)(43)とを、ロッド(６)(６)にて枢支連結し、偏心軸部(41)(41)の偏心回転により、ロッド(６)(６)を介してレバー(31)(31)の先端を上下運動させて叩き動作を行うマッサージ機において、ロッド(６)のレバー(31)側先端の球状頭部(61)は、ロッド(６)がレバー(31)を反偏心軸部(41)側へ押す際に叩き動作を行う様にレバー(31)に枢支されていることを特徴とするマッサージ機。
【請求項５】
前記偏心回転部材(43)に突設したブラケット部(44)の溝(45)に、前記ロッド(６)の基端が嵌まって偏心軸部(41)の軸心を含む面内で回動可能にピン(46)止めされ、且つブラケットに螺合したビス(88)の座面にピン(46)の頭部が当たってピン(46)の抜止めがなされている請求項４に記載のマッサージ機。
【請求項６】
もみ用回転軸(５)上に軸心と直交する面に対して対称的に傾いて回動可能に支持された、もみ玉(33)を具えた一対のレバー(31)(31)と、もみ用回転軸(５)と平行な回転軸(４)の軸心に対して互いに反対方向に偏心した偏心軸部(41)(41)に回転自由に支持された偏心回転部材(43)(43)とを、ロッド(６)(６)にて枢支連結し、偏心軸部(41)(41)の偏心回転により、ロッド(６)(６)を介してレバー(31)(31)の先端を上下運動させて叩き動作を行うマッサージ機において、前記偏心回転部材(43)に突設したブラケット部(44)の溝(45)に、前記ロッド(６)の基端が嵌まって偏心軸部(41)の軸心を含む面内で回動可能にピン(46)止めされ、且つブラケットに螺合したビス(88)の座面にピン(46)の頭部が当たってピン(46)の抜止めがなされていることを特徴とするマッサージ機。
【発明の詳細な説明】
【技術分野】
【０００１】
本発明は、背凭れ部に配備したもみ玉駆動ユニットに上下、左右に１個づつ、計４個のもみ玉を具えたマッサージ機に関するものである。
【背景技術】
【０００２】
従来の斯種マッサージ機は、図１９に示すように、背凭れ部内の一対のガイドレール(22)(22)間にもみ玉駆動ユニット(３)を配備し、該ユニット(３)のシャーシ(23)の両端に突設したローラ(20)をガイドレール(22)(22)に係合し、該レールと平行なネジ軸(26)に螺合したナット(26a)をシャーシ(23)に固定している。ネジ軸(26)を回転させると、ネジ推力でもみ玉駆動ユニット(３)が上昇或いは下降する。
【０００３】
もみ玉駆動ユニット(３)は、もみ用回転軸(５)上に軸心に対して傾いて設けたベアリング(51)(51)に一対のレバー(31)(31)を回転自由に支持し、レバー(31)の自由端に、図１６に示す如く、上部及び下部にもみ玉(33)を具えたアーム(32)の略中央を一定の範囲で回動可能に連結している(但し図１６は本発明に係るものであって、従来例ではない)。
【０００４】
又、図１９に示す如く、もみ用回転軸(５)と平行な叩き用回転軸(４)に対して互いに該軸(４)の軸心に対して１８０゜対称位置に偏心した偏心軸部(41)(41)に回転自由に偏心回転部材(43)(43)を支持し、該偏心回転部材(43)(43)と前記レバー(31)(31)とをロッド(６)(６)にて枢支連結している(図７参照)(但し図７は本発明に係るものであって、従来例ではない)。
【０００５】
叩き用回転軸(４)及びもみ用回転軸(５)は、シャーシ(23)の略中央に設けたギアボックス(100)に内蔵したギヤ列(図示せず)を介して、共通のモータ(101)に連繋され、モータ(101)の正逆回転の切換えにより、叩き用回転軸(４)ともみ用回転軸(５)の何れか一方を選択的に回転駆動させる。
【０００６】
図７において、叩き用回転軸(４)が回転すると、該軸の偏心軸部(41)の偏心回転により、該偏心軸部(41)にロッド(６)を介して連繋されたレバー(31)の先端が上下動し、レバー(31)を介してもみ玉(33)が上下運動、即ち叩き動作を行う。もみ用回転軸(５)が回転すると、該軸(５)上にベアリング(51)を介して斜めに設けた一対のレバー(31)(31)が、その先端を互いに接近離間させ、この動きがもみ玉(33)(33)に伝わってもみ動作を行う。
【０００７】
アーム(32)は金属板にて形成され、レバー(31)は、図１８に示す如く、合成樹脂製の一対の板体(91)(91)を重ねて締め付け固定して形成されている。レバー(31)の両板体(91)(91)の先端間に形成した溝(93)にアーム(32)及びアーム(32)を挟んで油含浸フェルト板(94)(94)を嵌め、両板体(91)(91)、アーム(32)及び油含浸フェルト板(94)(94)を貫通してボルト(92)を挿通し、ナット(95)締めしている。板体(91)(91)の基端間に形成した球状穴(96)にロッド(６)の球状頭部(61)を嵌めて枢支している。
【０００８】
従来の公知文献としては下記特許文献１が挙げられる
【特許文献１】特開平１０−９９３９２号公報
【発明の開示】
【発明が解決しようとする課題】
【０００９】
従来は、叩き用回転軸(４)の偏心軸部(41)の偏心回転で、ロッド(６)がレバー(31)を偏心軸部(41)側へ引っ張るときに叩き動作を行う機構であったため、叩き動作の際に、ロッド(６)の球状頭部(61)が板体(91)(91)を開く様な力を加え、球状穴(96)から球状頭部(61)が抜け出す虞れがあった。
【００１０】
本発明の目的は、叩き動作を行う際に、ロッド(６) の球状頭部(61)がレバー(31)から抜け出すことのないマッサージ機を提供することである。さらにロッド(６)を偏心回転部材(43)へガタつきなく円滑に支持できるようにしたマッサージ機を提供することである。
【課題を解決するための手段】
【００１１】
本発明のマッサージ機は、もみ用回転軸(５)上に軸心と直交する面に対して対称的に傾いて回動可能に支持された一対のレバー(31)(31)の夫々の自由端に、上部及び下部にもみ玉(33)を具えたアーム(32)の略中央を一定の範囲で回動可能に連結し、もみ用回転軸(５)と平行な回転軸(４)の軸心に対して互いに反対方向に偏心した偏心軸部(41)(41)に回転自由に支持された偏心回転部材(43)(43)と前記レバー(31)(31)とがロッド(６)(６)にて枢支連結され、偏心軸部(41)(41)の偏心回転により、ロッド(６)(６)を介して連結されたレバー(31)(31)の先端を上下運動させて叩き動作を行う４つ玉式マッサージ機において、ロッド(６)のレバー(31)側先端の球状頭部(61)を、ロッド(６)がレバー(31)を反偏心軸部(41)側へ押す際に叩き動作を行う様にレバー(31)に枢支したものである。
【００１２】
また本発明のマッサージ機は、もみ用回転軸(５)上に軸心と直交する面に対して対称的に傾いて回動可能に支持された一対のレバー(31)(31)の夫々の自由端に、上部及び下部にもみ玉(33)を具えたアーム(32)の略中央を一定の範囲で回動可能に連結し、もみ用回転軸(５)と平行な回転軸(４)の軸心に対して互いに反対方向に偏心した偏心軸部(41)(41)に回転自由に支持された偏心回転部材(43)(43)と前記レバー(31)(31)とがロッド(６)(６)にて枢支連結され、偏心軸部(41)(41)の偏心回転により、ロッド(６)(６)を介して連結されたレバー(31)(31)の先端を上下運動させて叩き動作を行う４つ玉式マッサージ機において、前記偏心回転部材(43)に突設したブラケット部(44)の溝(45)に、前記ロッド(６)の基端が嵌まって偏心軸部(41)の軸心を含む面内で回動可能にピン(46)止めされ、且つブラケットに螺合したビス(88)の座面にピン(46)の頭部が当たってピン(46)の抜止めがなされるようにしたものである。
【００１３】
また本発明のマッサージ機は、もみ用回転軸(５)上に軸心と直交する面に対して対称的に傾いて回動可能に支持された、もみ玉(33)を具えた一対のレバー(31)(31)と、もみ用回転軸(５)と平行な回転軸(４)の軸心に対して互いに反対方向に偏心した偏心軸部(41)(41)に回転自由に支持された偏心回転部材(43)(43)とを、ロッド(６)(６)にて枢支連結し、偏心軸部(41)(41)の偏心回転により、ロッド(６)(６)を介してレバー(31)(31)の先端を上下運動させて叩き動作を行うマッサージ機において、ロッド(６)のレバー(31)側先端の球状頭部(61)を、ロッド(６)がレバー(31)を反偏心軸部(41)側へ押す際に叩き動作を行う様にレバー(31)に枢支したものである。
【００１４】
また本発明のマッサージ機は、もみ用回転軸(５)上に軸心と直交する面に対して対称的に傾いて回動可能に支持された、もみ玉(33)を具えた一対のレバー(31)(31)と、もみ用回転軸(５)と平行な回転軸(４)の軸心に対して互いに反対方向に偏心した偏心軸部(41)(41)に回転自由に支持された偏心回転部材(43)(43)とを、ロッド(６)(６)にて枢支連結し、偏心軸部(41)(41)の偏心回転により、ロッド(６)(６)を介してレバー(31)(31)の先端を上下運動させて叩き動作を行うマッサージ機において、前記偏心回転部材(43)に突設したブラケット部(44)の溝(45)に、前記ロッド(６)の基端が嵌まって偏心軸部(41)の軸心を含む面内で回動可能にピン(46)止めされ、且つブラケットに螺合したビス(88)の座面にピン(46)の頭部が当たってピン(46)の抜止めがなされるようにしたものである。
【発明の効果】
【００１５】
ロッド(６)のレバー(31)側先端の球状頭部(61)を、ロッド(６)がレバー(31)を反偏心軸部(41)側へ押す際に叩き動作を行うようにレバー(31)に枢支すれば、レバー(31)が叩き動作により人体から受ける力によりレバー(31)が回動しようとする方向と、ロッド(６)によりレバー(31)が回動しようとする方向とが反対方向になって、互いに押しつけ合うようになるのでるので、ロッド(６)がレバー(31)から外れることはない。
【００１６】
さらに、ロッド(６)がピン(46)を中心に回動しても、ピン(46)が抜け出ることはないと共に、ピン(46)は、溝(45)の幅を狭める作用はないため、溝(45)は、ロッド(６)の基端をガタなく円滑に支持できる。
【発明を実施するための最良の形態】
【００１７】
図１は、背凭れ部(２)を具えた椅子型のマッサージ機に本発明を実施した状態を示しているが、本発明は、背凭れ部にもみ玉駆動ユニット(３)を具えたマッサージ機であれば、形式を問わない。
【００１８】
マッサージ機は、座部(１)とその後部に傾斜角度調整可能に背凭れ部(２)を有し、座部(１)の左右両側に肘掛け(11)を具えている。背凭れ部(２)は、図２に示す如く、縦長矩形のフレーム(21)の上端に、図１に示す如く、頭部レスト(12)を設け、フレーム(21)の外周に適当にクッション材を装着し、全体をカバー(13)で覆って形成されている。
【００１９】
図２示す如く、フレーム(21)の左右の枠杆は、断面コ字状を呈し互いに開口を内向きに対向させたガイドレール(22)(22)である。フレーム(21)の下端中央にネジ軸(26)がガイドレール(22)と平行に回転自由に支持され、該ネジ軸(26)の下端はプーリ(28)及びベルト(29)を介してネジ軸駆動モータ(27)に連繋されている。
【００２０】
上記フレーム(21)内にもみ玉駆動ユニット(３)が昇降可能に配備される。もみ玉駆動ユニット(３)のシャーシ(23)は、フレーム(21)に沿う板面を有する取付板(24)と該取付板(24)の下端にネジ軸(26)と直交して突設されネジ軸(26)を貫通させた支え板(25)とからなる。前記ネジ軸(26)に螺合したナット(26a)が、上記支え板(25)に固定されている。シャーシ(23)の左右両端に２個づつローラ(20)が突設され、該ローラ(20)が前記ガイドレール(22)に転動可能に嵌まっている。
【００２１】
図４に示す如く、上記シャーシ(23)の背面側の上部にもみ用回転軸(５)、下部にもみ用回転軸(５)と平行な回転軸である叩き用回転軸(４)が夫々横向き姿勢で回転自由に支持され、もみ用回転軸(５)は、一端がウォームギア装置(54)を介して整流子モータ(53)に連繋されている。ウォームギア装置(54)のウォーム(55)に突設したプーリ(57)とモータ軸(53a)とがベルト(58)にて連繋され、ウォーム(55)の相手ギア(56)がもみ用回転軸(５)に固定されている。叩き用回転軸(４)の一端は、プーリ(48)、ベルト(49)を介してモータ(47)に連繋され、モータ軸(47a)と叩き用回転軸(４)は平行である。
【００２２】
叩き用回転軸(４)の先端側に、シャーシ(23)の左右中心に位置して筒部材(40)が嵌着固定され、該筒部材(40)の両端に形成した偏心軸部(41)(41)にベアリング(42)を介して偏心回転部材(43)(43)が取り付けられている。
【００２３】
上記２つの偏心軸部(41)(41)は、実施例では叩き用回転軸(４)の軸心を中心に１８０゜対称的に偏心しているが、これに限定されることはなく、２つの偏心軸部(41)(41)は叩き用回転軸(４)の軸心を含む面に対して互いに反対側に偏心していればよい。該偏心回転部材(43)と、前記もみ用回転軸(５)上のレバー(31)が後記するロッド(６)にて枢支連結される。
【００２４】
図５に示す如く、もみ用回転軸(５)には、シャーシ(23)の左右中心から振り分け位置に２つの筒部材(50)をもみ用回転軸(５)の軸心に対して傾けて嵌着固定し、各筒部材(50)にベアリング(51)及びベアリングホルダー(52)を介してレバー(31)を回動自由に支持している。２つの筒部材(50)(50)は、筒部材(50)(50)間の中央にてもみ用回転軸(５)の軸心と直交する面を中心に対称的に傾いており、従って、左右のレバー(31)(31)も対称的に傾いている。
【００２５】
図７、図１０、図１１、図１２に示す如く、ベアリングホルダー(52)は機械的強度が大で、摩擦係数の小さい合成樹脂にて形成され、レバー(31)の内側面にネジ止め固定されている。
【００２６】
ベアリングホルダー(52)は前記ロッド(６)を枢支する合成樹脂製の支持部(８)を有しており、該支持部(８)は、ロッド(６)の球状頭部(61)を包囲する大挟み部材(80)と小挟み部材(84)とからなり、大挟み部材(80)はベアリングホルダー(52)と一体成形されている。
【００２７】
大挟み部材(80)の、レバー取付け側の面には、小挟み部材(84)を収容する収容部(81)及び該収容部(81)の奥に半球凹部(82)が開設されている。小挟み部材(84)には、大挟み部材(80)の半球凹部(82)に対向して半球凹部(85)を有し、背面には突起(86)を突設している。大挟み部材(80)と小挟み部材(84)との間には、ロッド(６)の軸部(63)が揺動可能に嵌まる切欠(83)(83)が開設されている(図１２参照)。
【００２８】
大挟み部材(80)の半球凹部(82)にロッド(６)の球状頭部(61)を嵌め、該部材の収容部(81)に小挟み部材(84)を嵌めて、大挟み部材(80)と小挟み部材(84)の夫々の半球凹部(82)(85)で球状頭部(61)を回転可能に支持し、切欠(83)からロッド(６)の軸部(63)を突出させる。小挟み部材(84)の突起(86)をレバー(31)の開設した孔(39)に嵌め、レバー(31)を貫通した複数のビス(87)を小挟み部材(84)を包囲する様にして大挟み部材(80)に螺合し、両挟み部材(80)(84)をレバー(31)に固定する。
【００２９】
上記の如く、小挟み部材(84)は、その突起(86)がレバー(31)の孔(39)に嵌まっており、該小挟み部材(84)を収容した大挟み部材(80)は、レバー(31)にビス止めされているため、大挟み部材(80)と小挟み部材(84)との間が開いたり、大挟み部材(80)から小挟み部材(84)が外れることはなく、従って、ロッド(６)が支持部(８)から抜け出すことはない。
【００３０】
図７、図１４に示す如く、ロッド(６)は基端に扁平部(62)が形成され、該扁平部(62)が前記偏心軸部(41)上の偏心回転部材(43)に形成されたブラケット部(44)に連結される。ブラケット部(44)は、機械的強度が高く摩擦係数の小さい合成樹脂にて偏心回転部材(43)と一体成形され、偏心軸部(41)の軸心を含む面内で開口する溝(45)を有し、該溝(45)にロッド(６)の扁平部(62)を嵌め、ブラケット部(44)に挿通したピン(46)を該扁平部(62)に貫通させている。
【００３１】
ピン(46)の頭部に平行なカット面(46a)(46a)を形成し、一方のカット面(46a)をブラケット部(44)の回止め面(44a)に対向させ、ピン(46)の回止めを図る。更に、ブラケット部(44)にビス(88)を螺合し、ビスの座面(88a)でピン(46)の頭部を抑えて、ピン(46)の抜け止めを計る。
【００３２】
これにより、ロッド(６)がピン(46)を中心に回動しても、ピン(46)が回転したり、抜け出ることはない。又、ピン(46)は、溝(45)の幅を狭める作用はないため、溝(45)は、ロッド(６)の扁平部(62)をガタなく円滑に支持できる溝幅を維持できる。
【００３３】
図１、図５、図７に示す如く、レバー(31)の先端にアーム(32)の略中間部が一定の範囲で回動可能に支持される。レバー(31)とアーム(32)の連結構造は、図８に示す如く、金属板にて形成されたアーム(32)に大径の孔(34)を開設し、該孔(34)に機械的強度が大で摩擦係数の小さい合成樹脂製の軸受けリング(35)をインサート成形により一体的に固定し、該リング(35)に回転自由に軸受部材(７)を嵌合して該軸受け部材(７)とレバー(31)をネジ止め固定したものである。
【００３４】
軸受部材(７)は金属板のプレス加工によって形成され、軸受けリング(35)に嵌合する底付きの短筒部(71)の開口縁にフランジ(72)を突設しており、該フランジ(72)を軸受けリング(35)の端面に摺接し、底面(73)をレバー(31)に当てている。レバー(31)の先端に、レバー(31)の内面側からボルト(74)を貫通させ、ボルト頭部(75)を溶接、かしめ等によりレバー(31)に固定しておく。ボルト(74)の首下には多角形軸部(76)が形成され、該多角形軸部(76)が軸受部材底面(73)中央の多角形孔(73a)を貫通し、ナット(78)にて締め付けられている。アーム(32)の両端にもみ玉(33)(33)が取り付けられている。
【００３５】
上記、軸受けリング(35)には、図９、図１６に示す如く、レバー(31)に対するアーム(32)の俯仰角度を規制するための凸部(36)が一体に形成され、該凸部(36)にゴム筒(37)が被せら、ビス(38)にて抜止めが計られる。レバー(31)に突設した２つの突片(30)(30)間に上記凸部(36)が位置し、突片(30)(30)の範囲でアーム(32)が回動可能であり、バネ(32a)によってアーム(32)は図１６に於いて時計方向に付勢されている。凸部(36)にゴム筒(37)が装着されているため、凸部(36)が突片(30)に当たる際の衝撃が緩和され、衝撃音の発生を抑えることができる。
然して、モータ(47)によって叩き用回転軸(４)が回転すると、該軸上の偏心回転部材(43)が偏心回転、即ち、上下に移動する。この上下動がロッド(６)を介してレバー(31)に伝達され、レバー(31)先端のアーム(32)を上下させる。これがもみ玉(33)の叩き動作となる。
【００３６】
ここで、図７に示す如く、ロッド(６)の球状頭部(61)は、レバー(31)の回動中心軸(５)に対して、アーム(32)枢支部の反対側にてレバー(31)上に枢支支持されており、ロッド(６)の球状頭部(61)がレバー(31)を反偏心軸部(41)側へ押す（突き上げる）際に叩き動作が行なわれるようにしているので、レバー(31)が叩き動作により人体から受ける力によりレバー(31)が回動しようとする方向と、ロッド(６)によりレバー(31)が回動しようとする方向とが反対方向になって、互いに押しつけ合うようになるのでるので、叩き動作中にロッド(６)がレバー(31)から外れることはない。
【００３７】
モータ(53)によってもみ用回転軸(５)が回転すると、もみ用回転軸(５)上に傾斜ベアリング(51)を介して、互いに対称的に斜め配備されたレバー(31)(31)が、その先端間を開閉する様に運動し、即ち、左右のモミ玉(32)(32)がもみ動作を行う。
【００３８】
もみ動作のモータ(53)と、叩き動作用のモータ(47)は別個であるから、叩き動作、もみ動作及び叩きともみの併用動作の３種のマッサージ動作を選択できる。又、ネジ軸(26)を回転させると、もみ玉駆動ユニット(３)が上昇或いは下降するので、この動作を組み合わせることも自由に行うことができる。
【００３９】
アーム(32)は、その軸受部材(７)をレバー(31)上の合成樹脂製の軸受けリング(35)に回転自由に嵌めているから、従来の軸受けボルト(92)とアームの孔縁との金属どうしの摩擦による異音の発生はなく、又、軸受部材(７)と軸受けリング(35)の摩耗も殆ど生じない。
【００４０】
レバー(31)に、軸受部材(７)締付け固定用のボルト(74)を外向きに固定し、アーム(32)に嵌めた軸受部材(７)に該ボルト(74)を貫通させてナット止めするため、レバー(31)(31)間の狭いスペースに手を挿入しての作業はなくなり、アーム(32)の組立作業が容易となる。
【００４１】
図１７は、レバー(31)とアーム(32)の枢支連結部の他の実施例を示しており、アーム(32)上の軸受けリング(35)に嵌まる軸受部材(７)の底面(73)中央に多角形突部(70)を突設し、レバー(31)には該突部(70)が嵌まる多角形孔(31a)が開設されている。
【００４２】
軸受部材(７)は、軸受けリング(35)に対する軸受部材(７)の嵌込み側から、複数のビス(79)によってレバー(31)に固定される。レバー(31)(31)間の狭いスペースに手を挿入せずに、アーム(32)の取り付けができる等の効果は、前記図８に示す実施例と同じである。
【００４３】
本発明は上記実施例の構成に限定されることはなく、特許請求の範囲で種々の変形が可能である。
【図面の簡単な説明】
【００４４】
【図１】マッサージ機の断面図である。
【図２】フレームにもみ玉駆動ユニットを組み込んだ状態の正面図である(但し、シャーシの向こう側に見える線も実線で表している)。
【図３】もみ玉駆動ユニットの正面図である。
【図４】もみ玉駆動ユニットの背面図である。
【図５】レバー部分を断面で表したもみ玉駆動ユニットの平面図である。
【図６】レバーからアームを外した状態の平面図である。
【図７】偏心回転部材近傍を断面で表したレバーともみ用回転軸の連繋状態の側面図である。
【図８】レバーとアームの連結部の分解断面図である。
【図９】レバーとアームの連結部の断面図である。
【図１０】ベアリングホルダーと支持部の斜面図である。
【図１１】ヘアリングホルダーの断面図である。
【図１２】支持部の断面図である。
【図１３】支持部のビス止め状態の側面図である。
【図１４】偏心回転部材とロッドの分解正面図である。
【図１５】偏心回転部材の側面図である。
【図１６】レバーに対するアームの回動範囲を示す説明図である。
【図１７】レバーとアームの連結部の他の実施例の分解図である。
【図１８】従来例のアーム及びロッドの取り付け状態の説明図である。
【図１９】従来例のもみ玉駆動ユニットの説明図である。
【符号の説明】
【００４５】
(５)  もみ用回転軸
(31)  レバー
(33)  もみ玉
(32)  アーム
(４)  叩き用回転軸
(41)  偏心軸部
(43)  偏心回転部材
(６)  ロッド
(61)球状頭部
(44)  ブラケット部
(45)  溝
(46)  ピン
(88)  ビス
【図１】
2005000687.tif 000003
【図２】
2005000687.tif 000004
【図３】
2005000687.tif 000005
【図４】
2005000687.tif 000006
【図５】
2005000687.tif 000007
【図６】
2005000687.tif 000008
【図７】
2005000687.tif 000009
【図８】
2005000687.tif 000010
【図９】
2005000687.tif 000011
【図１０】
2005000687.tif 000012
【図１１】
2005000687.tif 000013
【図１２】
2005000687.tif 000014
【図１３】
2005000687.tif 000015
【図１４】
2005000687.tif 000016
【図１５】
2005000687.tif 000017
【図１６】
2005000687.tif 000018
【図１７】
2005000687.tif 000019
【図１８】
2005000687.tif 000020
【図１９】
2005000687.tif 000021